(57)【要約】      （修正有）【課題】築物の屋根における金属下地の防水構造として断熱工法を採用する際、風力によって断熱材の上に敷設される防水シートに作用する水平方向応力に対し、固定用ディスクや固定用ビスが引き抜きぬかれず防水シートが破断されることのない防水シートの固定構造の提供。【解決手段】断熱材２の上に補強板４を設け、補強板４の上に配置された固定用ディスク５の上から補強板４を貫通して防水下地１に対して固定用ビス６を打つことで、固定用ディスク５が補強板６を介して防水下地１に固定される防水シート固定構造とした。そして、防水シート３はこの固定用ディスク５により固定され、補強板４は複数の固定用ディスク５を連結するように配置されている。【選択図】図１
2014001533.tif 000002
【特許請求の範囲】
【請求項１】
防水下地の上に敷設される断熱材と、
前記断熱材の一部を被覆するように前記断熱材の上に配置される補強板と、
前記補強板の上に複数、配置される固定用ディスクと、
前記固定用ディスクの上から前記補強板を貫通して前記防水下地に打ち込まれる固定用ビスと、
前記固定用ディスクにより前記断熱材の上に固定される防水シートとを備え、
前記補強板は複数の前記固定用ディスクを連結している防水シート固定構造。
【請求項２】
前記固定用ビスが前記補強板において水平方向の可動を規制されるように前記補強板を貫通している請求項１に記載の防水シート固定構造。
【請求項３】
前記断熱材の上に帯状の前記補強板が並列して配置されている請求項１または請求項２のいずれか１項に記載の防水シート固定構造。
【請求項４】
前記断熱材の上に帯状の前記補強板が交差して配置されている請求項１から請求項３のいずれか１項に記載の防水シート固定構造。
【請求項５】
前記補強板の交差する部分に前記固定用ディスクが配置されている請求項４に記載の防水シート固定構造。
【請求項６】
前記防水シートが前記断熱材の上に敷設され、前記防水シートの上に前記固定用ディスクが配置され、前記固定用ビスが前記固定用ディスクの上から打ち込まれ、前記固定用ディスクを被覆する補強シートをさらに備える請求項１から請求項５のいずれか１項に記載の防水シート固定構造。
【請求項７】
前記防水シートが前記固定用ディスクの上に敷設され、前記防水シートの下面と前記固定用ディスクの上面が接合されている請求項１から請求項５のいずれか１項に記載の防水シート固定構造。
【請求項８】
防水下地の上に断熱材を敷設し、
断熱材の上に補強板を配置し、
前記断熱材と前記補強板を覆うように防水シートを敷設し、
前記防水シートの上から複数の固定用ディスクを前記補強板によって連結可能に配置し、
固定用ビスを前記固定用ディスクの上から前記補強板を貫通し前記防水下地に向けて打ち込む防水シートの固定工法。
【請求項９】
防水下地の上に断熱材を敷設し、
断熱材の上に補強板を配置し、
上面に接着層を有する複数の固定用ディスクを前記補強板によって連結可能に前記補強板の上に配置し、
前記固定用ディスクの上から固定用ビスを前記防水下地に向けて打ち込み、
前記断熱材と前記固定用ディスクを覆うように防水シートを敷設し、
前記接着層を介して前記防水シートと前記固定用ディスクを接合する防水シートの固定工法。
【発明の詳細な説明】
【技術分野】
【０００１】
本発明は断熱工法における防水シートの固定構造に関する。
【背景技術】
【０００２】
建築物の屋上、ベランダ、バルコニーの防水構造には、近年、下地の上に断熱材を敷設する断熱工法が多く採用されている。断熱工法において、防水シートを固定する工法として、いわゆる機械的固定工法が用いられている。この工法は、断熱材の上から固定用ディスクを固定用ビスで下地に固定し、固定用ディスクによって防水シートを断熱材の上に固定する方法であり、接着剤を塗布する必要がある接着工法と比較して簡便であるという利点を有する。そして、固定用ディスクで防水シートを固定する方法としては、防水シートを先に断熱材の上に敷設し、その上に固定用ディスクを載せ固定用ビスを打ち込む方法や、断熱材の上に接着層を有する固定用ディスクを固定し、その上に防水シートを敷設し防水シートの上から電磁誘導加熱装置で接着層を溶融させ防水シートの裏面と固定用ディスクを接合する方法などが用いられている。
【０００３】
しかし、機械固定工法で防水施工された屋上等において防水シートが強風にさらされると、防水シートに上向き（垂直方向）の応力が作用する。そのために防水シートを固定する固定用ディスクは垂直方向の引き抜きに対抗できるように強固に固定されることが要求される。さらに風は通常、一定ではなく強弱をともなって吹くために、防水シートに対する応力も強弱を伴う振動として作用し、固定用ビスがこの振動により緩むことが懸念されている。
これに対して緩み止めを施した固定用ビスおよび固定用ディスクを組み合わせた工法が提案されている（特許文献１）。
【先行技術文献】
【特許文献】
【０００４】
【特許文献１】特開２００８−００２１２３号公報
【発明の概要】
【発明が解決しようとする課題】
【０００５】
しかしながら、強風にさらされた場合に、風力によって断熱材の上に敷設される防水シートには垂直方向の応力だけでなく、水平方向にも応力が作用する場合がある。そうすると、防水シートを固定している固定用ディスクや固定用ビスにも水平方向の応力が働くこととなる。そして、固定用ビスと防水下地との貫通部では、断熱材の厚みだけ距離があるためにより大きな力がかかることとなる。したがって、下地の上に断熱材を敷設する断熱工法においては、固定用ビスには水平方向に大きな応力が作用し固定用ビスが引き抜きぬかれたり固定用ビスが破断したりするおそれがある。
【０００６】
そこで、本発明は上記のような課題に鑑み、断熱工法において、防水シートに水平方向の応力が作用しても、固定用ビスが充分に固定される防水シート固定構造を提供することを目的とする。
【課題を解決するための手段】
【０００７】
本発明の上記課題を解決するためにとった手段は以下の通りである。
すなわち、防水下地の上に補強板を設け、補強板の上に配置された固定用ディスクの上から補強板を貫通して防水下地に対して固定用ビスを打つことで、固定用ディスクが補強板を介して防水下地に固定されることを要旨とする。そして、防水シートはこの固定用ディスクにより固定され、補強板は複数の固定用ディスクを連結するように配置された防水シート固定構造である。
【０００８】
さらに具体的には、防水下地の上に敷設される断熱材と、断熱材の一部を被覆するように断熱材の上に配置される補強板と、補強板の上に複数、配置される固定用ディスクと、固定用ディスクの上から補強板を貫通して防水下地に打ち込まれる固定用ビスと、固定用ディスクにより断熱材の上に固定される防水シートとを備え、補強板は複数の固定用ディスクを連結するように配置されている防水シート固定構造とするものである。
このように、補強板を用いることで、固定用ビスが補強板を貫通するために固定用ビスはより安定的に固定される。また、補強板により複数の固定用ディスクが連結されるために一の固定用ディスクおよび固定用ビスに作用する水平方向の応力に対し補強板によって連結されている他の固定用ビスで対抗できるようになる。すなわち、一の固定用ビスに作用する水平方向の応力を他の固定用ビスに伝達して分散させることにより、固定用ビスが引き抜かれたり破断したりすることを防止でき、固定用ディスクは水平方向の応力に対して強固に固定されることとなる。
【０００９】
また、固定用ビスが補強板において水平方向の可動を規制されるように補強板を貫通している防水シート固定構造がより好ましい。これにより固定用ビスは防水下地面に対する水平方向すなわち横方向の力を受けても、固定用ビスの水平方向の可動が規制されるために、水平方向の応力が他の固定用ビスに伝達、分散されるとともに、防水下地と固定用ビスの貫通部に大きな応力が作用することを防ぎ、固定用ビスの引き抜き強度が向上する。また、これにより、固定用ビスが破断することを防止できる。
【００１０】
このような水平方向の可動を制限する方法として、固定用ビスが補強板で固定されている防水シート固定構造とすることができる。固定用ビスが補強板と防水下地とで固定されることで、引き抜き強度が向上する。また、補強板と防水下地で固定用ビスが固定されているので、固定用ビスが水平方向に可動するのを規制でき、より水平方向への応力に対して対抗できる。
【００１１】
断熱材の上に帯状の補強板が並列して配置されている防水シート固定構造とすることで、効率的に固定用ディスクを連結して補強板に対して止め付けることができる。
さらに、断熱材の上に帯状の補強板が交差して配置されている防水シート固定構造とすることにより固定用ディスクは２方向に連結されることとなり、より水平方向への応力に対して対抗できる。また、断熱材の上に補強板が格子状に配置されている防水シート固定構造としてもよい。
【００１２】
このように補強板の交差する部分に固定用ディスクが配置されている防水シート固定構造としてもよい。これにより補強板が交差する部分に配置された固定用ディスクは２方向に連結され、より効果的に水平方向の応力を他の固定用ディスクに伝達、分散し、固定用ディスクがより安定的に固定できるために好ましい。
【００１３】
また、第１の固定用ディスクと、これと隣接する第２の固定用ディスクと、第１の固定用ディスクと第２の固定用ディスクとを結ぶ直線上に配置されない第３の固定用ディスクとが、一の補強板によって連結されている防水シート固定構造とすることで固定用ディスクは２方向の固定用ディスクと連結されるために、より効果的に水平方向の応力を伝達、分散し、固定用ディスクがより安定的に固定できるために好ましい。
【００１４】
ここで、防水シートは固定用ディスクの上側、下側のどちらに設けてもよい。防水シートが固定用ディスクの下側に設けられる場合には、防水シートが断熱材の上に敷設され、防水シートの上に固定用ディスクが配置され、固定用ビスが固定用ディスクの上から打ち込まれ、固定用ディスクを被覆する補強シートをさらに備える防水シート固定構造となる。
【００１５】
一方、防水シートが固定ディスクの上側に設けられる場合には、防水シートが固定用ディスクの上に敷設され、防水シートの下面と固定用ディスクの上面が接合されている防水シート固定構造となる。
【００１６】
そして、防水シートが固定用ディスクの下側に設けられる場合には、防水下地の上に断熱材を敷設し、断熱材の上に補強板を配置し、断熱材と補強板を覆うように防水シートを敷設し、防水シートの上から複数の固定用ディスクを補強板によって連結可能に配置し、固定用ビスを固定用ディスクの上から補強板を貫通し防水下地に向けて打ち込む防水シートの固定工法を用いることができる。
【００１７】
また、防水シートが固定ディスクの上側に設けられる場合の工法としては、防水下地の上に断熱材を敷設し、断熱材の上に補強板を配置し、上面に接着層を有する複数の固定用ディスクを補強板によって連結可能に補強板の上に配置し、固定用ディスクの上から固定用ビスを防水下地に向けて打ち込み、断熱材と固定用ディスクを覆うように防水シートを敷設し、接着層を介して防水シートと固定用ディスクを接合する防水シートの固定工法を用いることができる。
【発明の効果】
【００１８】
本発明の防水シート固定構造によれば、下地の上に配置された補強板によって固定用ディスクおよび固定用ビスが連結して固定されるために、防水シートに水平方向の応力が作用しても、固定用ビスにかかる応力が他の固定用ビスに伝達し、分散されることで固定用ビスが引き抜かれたり破断したりすることなく固定用ディスクが強固に固定される。
【図面の簡単な説明】
【００１９】
【図１】固定用ディスクの下に防水シートを敷設する本発明の第１実施形態に係る防水シート固定構造を示す断面図である。
【図２】本発明の第１実施形態に係る平面図である。
【図３】本発明の第１実施形態に係る補強板の変形例を示す平面図である。
【図４】本発明の第１実施形態に係る補強板の変形例を示す平面図である。
【図５】本発明の第１実施形態に係る補強板の変形例を示す平面図である。
【図６】本発明の固定用ディスクの上に防水シートを敷設する本発明の第２実施形態に係る防水シート固定構造を示す断面図である。
【図７】補強板の一例を示す斜視図である。
【図８】補強板の交差部分を表わす斜視図である。
【図９】差し込み部を有する補強板の一例を示す斜視図である。
【図１０】コンクリート下地を用いた本発明の第３実施形態に係る防水シート固定構造を示す断面図である。
【図１１】従来の防水シート固定構造を示す断面図である。
【図１２】従来の防水シート固定構造において水平方向に力が作用する状態を示す断面図である。
【発明を実施するための形態】
【００２０】
以下、好適実施の態様について図面を参照して詳細に説明する。
図１に第１実施形態として、固定用ディスク５の下に防水シートを敷設する防水シート固定構造について示した。これによると防水下地１の上に断熱材２が設けられ、固定用ディスク５が配置される位置に対応して断熱材２の上に補強板４が配置される。そして、この補強板４の上から防水シート３が敷設され、補強板に対応する位置に固定用ディスク５が配置されている。また、固定用ビス６が固定用ディスク５、補強板４を貫通して防水下地１に固定されている。このように、固定用ディスク５によって防水シート３が固定されているシート防水構造を構成している。本実施形態においては、さらに固定用ディスク５を上から覆うように補強用シート７を接合し、補強用シート７の端部と防水シート３をシーラー８で防水処理している。また本実施形態における防水下地としては折板金属下地が用いられている。
【００２１】
また第１実施形態の平面図を図２に示したが、本実施形態においては平板状の補強板４によって複数の固定用ディスク５が連結して固定されている。具体的には６つの固定用ディスク５が１つの補強板４によって連結されている。なお、図２（２−１）では説明のために補強用シート７等を省略しているが、本実施形態においては図２（２−２）のように補強シート７が固定ディスク５を覆うように接合されている。
【００２２】
さらに、本実施形態においておいては、第１の固定用ディスク５１とこれと隣接する第２の固定用ディスク５２とを結ぶ直線上に配置されていない第３の固定用ディスク５３が１つの補強板４によって連結されている。このような状態で固定用ディスク５が補強板４に連結されることで、第１の固定用ディスク５１は第２の固定用ディスク５２の方向と第３の固定用ディスク５３の方向の２方向の固定用ディスク５と連結されることとなるために、様々な方向からの水平方向の応力に対して対抗でき、より安定的に固定用ビス６および固定用ディスク５を連結できる。
【００２３】
ここで、台風などの強風が吹く場合には、図１２のように屋上に施工されたシート防水構造には水平方向の応力が働くことがある。このように、防水シートに水平方向の応力が作用すると固定用ディスク５や固定用ビス６にも水平方向の応力Ｆ１が作用することとなる。そして、固定用ディスク５は断熱材２の上に配置され、固定用ビス６は断熱材の下にある防水下地１に止め付けられているので、固定用ディスク５や固定用ビス６に水平方向の応力Ｆ１が発生すると、断熱材２の厚みｈだけ固定用ビス６と防水下地１との固定部１０１にはより大きな応力が作用することなる。そのため図１１に示したような補強板４を用いない従来技術にかかるシート防水構造では、固定部１０１に大きな応力が作用し固定用ビス６の固定強度が充分ではない場合がある。
【００２４】
それに対し、補強板４を使用した第１実施形態では、固定用ビス６は補強板４と防水下地１の２か所で固定される。さらに補強板４では複数の固定用ディスクおよび固定用ビス６を連結し、固定用ビス６に作用する水平応力を他の連結された固定用ビス６に伝達し分散させることができる。これによって、水平方向の応力が防水下地１との固定部に大きく作用することを防止できるために、固定用ディスク５は水平方向の応力に対しても充分な固定強度が得られ、さらに固定用ビスが破断することを防止できる。
【００２５】
ここで補強板４は、図３乃至図５に示した変形例のような形状、配置としてもよい。図３に示した変形例において補強板４は帯状に形成され、この帯状の補強板４が並列に配置されている。そして、帯状の補強板４の上に列をなして固定用ディスク５が配置され、それぞれの固定用ディスク５は固定用ビス６により防水下地１に固定されている。これにより固定用ディスク５は帯状に連結され、固定用ビス６に水平方向の応力が作用してもこの応力を連結された他の固定用ビス６で分散して対抗し得るために固定用ディスク５が充分に固定されることとなる。また、このような態様により、補強板４の敷設が容易となりまた、平面における補強板の占める面積が少なくなることから、コストを抑えるとの効果も得られる。なお、図３においては説明のため補強シート７、シーラー８の図示を省略している。
【００２６】
図４に示した変形例において、補強板４ａと補強板４ｂは帯状に形成されかつ、補強板４ａと補強板４ｂとが交差して略格子状に配置されている。そして、帯状の補強板４の上に列をなして固定用ディスク５が配置され、さらに格子状の交差部分４１に固定用ディスク５が配置されている。そして、固定用ディスク５の上には補強用シート７（図示せず）が敷設固定され、補強用シート７の周囲をシーラー８（図示せず）で防水処理した。
本変形例においては固定用ディスク５は略格子状の交差部分４１に配置されているので、２方向の固定用ディスク５に連結され、より効果的に水平方向の応力を分散でき、固定用ディスク５を充分に固定することができる。なお、図４においても補強シート７、シーラー８の図示を省略している。
また図４では補強板４ａと補強板４ｂと直交して配置されているが、これに限らず任意の角度でもって交差させてもよい。また交差部分が３方向以上の補強板４が交差するように配置されていてもよい
【００２７】
図５に示した変形例において、補強板４ａおよび補強板４ｂは帯状に形成され、かつ補強板４ａと補強板４ｂとが交差して略格子状に配置されている。そして、格子状の交差部分４１に固定用ディスク５が配置され、また交差部分以外の部分４２にも補強板４ａの上に列をなして固定用ディスク５が配置されている。本実施形態においては、一の交差部分４１と他の交差部分４１の間に１つの固定用ディスク５が配置されている。また、固定用ディスク５の上には補強用シート７（図示せず）が敷設固定され、補強用シート７の周囲をシーラー８（図示せず）で防水処理した。
本変形例においては固定用ディスク５は略格子状の交差部分４１に配置されているので、２方向の固定用ディスク５に連結されている。よってこれにより、効果的に水平方向の応力を分散できる。また、交差部分以外の部分４２にも固定用ディスク５が配置され、固定用ビス６が固定用ディスク５と補強板４を貫通して防水下地１に固定されているために、補強板４それ自体も防水下地１に対して強固に固定されることになるから、固定用ディスク５が充分に固定されることとなる。なお、図５においても補強シート７、シーラー８の図示を省略している。
【００２８】
ここで補強板４は固定用ディスク５を連結し、固定用ビス６にかかる水平方向の応力に対抗できる形状、材質であればよい。そして、補強材４は図７（７−１）のように板状や帯状とすることができ、三角形、多角形、円形、不定形等の形状としてもよい。そして１つの補強板４で連結される固定用ディスク５の個数は特に制限されないが、多くの固定用ディスクを連結することがより好ましい。
【００２９】
また補強板４の上には固定用ディスク５を配置し固定用ビス６で止め付けられるので、固定用ディスク５を安定的に配置できるような形状、大きさであることが好ましく、図７（７−２）のように固定用ディスク５の径より大きな巾を有する形状とすることができる。また、（７−３）のように固定用ディスク５の固定用ビス６の挿入部分が補強板４によって支持されていれば固定用ディスク５および固定用ビス６は安定的に補強板４に連結されることとなるので、固定用ディスク５の径より小さい巾の補強板４としてもよい。
さらに図７（７−４）のように固定用ビス６が貫通されるためのビス穴４３を設けていてもよい。このビス穴４３は固定用ビス６の径よりも小さくすることで固定用ビス６が補強板４に対して固定され、固定用ビス６にかかる水平方向の応力を効果的に分散できるとの点からこのましい。
【００３０】
補強板４には指標となる標線や目印等の標示４４を設けてもよい。例えば、図４や図５のように交差部分４１を有するような場合には、図７（７−５）のように下側に配置される補強板４に上側に配置される補強板４の位置を予め示す標示４４としての標線を設けることができる。また、図７（７−６）のように固定用ビスを打ち込む位置を示す標示４４を描画してもよい。図７（７−６）の場合は後述する固定用ディスク６の上に防水シートを敷設する構造において固定用ディスク５を配置し固定用ビス６を打ち込む位置が明確になるために作業性が向上し好ましい。ここで、標示４４は指標となるものであるから、描画に限らず凹部や凸部として形成されていてもよく、例えば（７−６）の固定用ビス６の打ち込み位置の示す標示４４はビス穴として形成されてもよい。
【００３１】
ここで、図４や図５のように交差部分４１を有するような場合には、図８に示したような変形例を用いることができる。図８（８−１）に示したように２本の補強板４を上下に重ねて交差させることで交差部分４１を設けることができる。また、略十字の形状に形成された補強板４を用いることができる。さらに、図８（８−２）のように上側に配置される補強板４ａに下側に配置される補強板４ｂを嵌めこむ凸状に形成された嵌めこみ部４５を設けてもよい。
そして補強板４の厚みが厚くなりすぎない場合には、補強板４を重ねることで補強板４が二重となるためにより固定用ビス６を充分に固定できる。概ね補強板４の厚みが２．０ｍｍ程度あれば補強板４を重ねて交差部分４１を形成することができる。
【００３２】
補強板４は断熱材の上に固定される固定部を有していてもよい。補強板４を断熱材２の上で固定させることでその後の施工作業が容易となり好ましい。また、補強板４が固定部によって固定されることで補強板自体がより安定的に固定され、固定用ディスク５等に作用する水平方向の応力により対抗できるために好ましい。
【００３３】
固定部の具体的な形態としては、補強板４の断熱材側の面に粘着層を設けることができる。補強板４が粘着層を介して断熱材の上に固定されることで、補強板４が断熱材の上で固定させるためにその後の施工作業が容易となり好ましい。ここで、粘着層としては、接着剤、両面粘着テープ、定形シーラー、不定形シーラー等を用いることができる。粘着力にすぐれ、施工しやすいとの点からブチルテープなどの定形シーラーが好ましく用いられる。
【００３４】
また固定部の別の形態として、補強板４に断熱材に差し込まれるための差し込み部４６を設けることもできる。差し込み部は断熱材２に差し込まれることで補強板４を断熱材２の上に固定するものであるから、補強板４の下側面に向けて凸状に設けることができる。例えば、差し込み部４６は図９のように帯状の補強板４の前後に補強板を下側面に向けて折り曲げたような凸状に形成されている。そして差し込み部４６の先端には断熱材２への差し込みが容易となるように鋭角となっている。差し込み部４６はこれに限られず、補強板４の下面側に突起を設けた形状であったり、補強板４の下側に向け棒状の差し込み部４６が形成されていてもよい。
【００３５】
図９の差し込み部を有する補強板４は、断熱材２の上から差し込まれて断熱材２の上に配置される。そして、この差し込み部は断熱材に差し込まれればよいので防水下地１に達することを要しない。しかし、差し込み部が防水下地にまで達していてもよく、これにより補強板４は防水下地２の上に支持されることにもなり、補強板４によってより安定的に固定用ディスク、固定用ビスを連結できる。
【００３６】
また補強板４は、金属製、硬質合成樹脂製、木製等が用いられる。強度や耐久性の点から金属製が好ましい。金属製の固定用ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．１〜５ｍｍ程度が好ましく、より好ましくは０．２ｍｍ〜２ｍｍ、さらに好ましく０．４ｍｍ〜０．８ｍｍ。また、鋼板の場合には１．６ｍｍ以上とすることで溶接が可能となり好ましく、硬質合成樹脂製、木製であれば２ｍｍ〜５ｍｍとすることが好ましい。
【００３７】
補強板４は防水下地１に対して固定されていることが好ましいので、補強板４を固定するための補強板固定用ビスを別に設けてもよい。またこの場合に補強板固定用ビスを貫通させるためのビス穴を設けてもよい。
【００３８】
防水シート３は熱可塑性樹脂製防水シートが好ましく、塩化ビニル系樹脂、ポリオレフィン系、アクリル系等を使用することができる。熱可塑性樹脂製防水シートを熱溶融着、溶剤溶着により接合し、また補強用シート７で補強し得るという点から塩化ビニル系樹脂製防水シートがより好ましい。
【００３９】
熱可塑性樹脂製防水シートは単層でも良いが、寸法安定性、引張強度に優れるという点からガラスクロス、不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
【００４０】
断熱材２は、ポリスチレンフォーム、硬質ウレタンフォーム、フェノールフォーム、ポリエチレン、ポリプロピレン等のポリオレフィンフォーム等が使用でき、強度を考慮するとクラフト紙やアルミ箔が両面に積層された断熱材が好ましい。また、勾配をとる必要がある場合には、勾配のある断熱ボードを使用することができる。
【００４１】
固定用ディスク５は防水シート３を固定できるものであればよく、金属製、硬質合成樹脂製、木製等が用いられる。強度や耐久性の点から金属製がこのましい。金属製の固定用ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．６〜１．５ｍｍ程度で、形状は正方形または長方形をした矩形状のプレート状や、円形または楕円形状のディスク状、長尺状など任意であり、大きさは１辺または外径が５０〜１００ｍｍ程度に形成することができる。
【００４２】
また、その固定用ディスク５の少なくとも上面に熱可塑性樹脂被覆層を積層一体化した構成が好ましい。これにより防水シート３や補強用シート７との熱融着、溶剤溶着による接合が容易となる。ここで熱可塑性樹脂被覆層は、塩化ビニル系樹脂、ポリオレフィン系、アクリル系等を使用することができる。また接合強度を考慮すると、防水シート３、補強用シート７とこの熱可塑性樹脂被覆層の材質は同種のものを用いるのが好ましく、防水シート等が塩化ビニル系樹脂製である場合には、熱可塑性樹脂被覆層も塩化ビニル系樹脂からなることが好ましい。
なお本明細書では、固定用ディスクの上面とは下地、断熱材に対して上側の面である。
【００４３】
また、後述する固定用ディスク５の上に防水シート３を敷設する場合において、固定用ディスク５の上面に設けられる接着層は接着剤を塗布することや、熱可塑性樹脂層を積層する等して設けることができる。そして、接着層と防水シート３との接着は圧着や熱による融着や溶剤による溶着等によって行われる。また電磁誘導加熱を行う場合において固定用ディスク５の接着層は、加熱より溶融するホットメルト接着剤や熱可塑性樹脂等である熱溶融着層とすることが好ましい。ホットメルト接着剤としては、ポリエステル系、ポリアミド系、エチレン−酢酸ビニル共重合体系のホットメルト接着剤等が挙げられる。
【００４４】
固定用ビス６は、少なくとも固定用ディスク５と補強板４を固定するに足る長さが必要であり、補強板４を貫通して防水下地１に達するような長さのものを用いる。
材質としては、炭素鋼、合金鋼、ステンレス鋼等の鋼材などが使用できる。また、固定用ディスク５等の上面から頭部がはみ出ないように、固定用ビス６のビス頭の形状は皿、平、なべがよく、ドライバーやレンチで掛ける座面の窪み形状は十字穴、六角穴、四角穴が好ましい。
【００４５】
防水下地１は、コンクリート、ＡＬＣ、折板屋根、瓦棒屋根、デッキプレート等の金属下地等を使用することができる。
【００４６】
つぎに第１実施形態の施工方法について図１を用いて説明する。
第１実施形態においては、防水下地１の上に断熱材２を敷設し、固定用ディスク５を配置する位置に補強板４を配置する。そして、その上からポリ塩化ビニル製の防水シート３を敷設し、補強板４と対応する位置に防水シート３の上から熱可塑性樹脂被覆層が積層一体化された固定用ディスク５を配置する。この固定用ディスク５および補強板４を貫通するように固定用ビス６を防水下地１に打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲を液シーラー８で防水処理を施した。
【００４７】
以下、他の実施形態について説明するが、第１実施形態と同じ部材には同じ符号を付し詳細な説明を省略した。
第２実施形態として、防水シート３を固定ディスクの上側に敷設した防水シート固定構造の断面図を図６に示した。これによると、防水下地１の上に断熱材２が敷設され、固定用ディスク５を配置する位置に対応した断熱材の上に補強材４が配置され。この補強材４の上に固定用ディスク５が配置され、固定用ビス６が固定用ディスク５および補強材４を貫通して防水下地１に止め付けられている。そして、固定用ディスク５の上面には接着層（図示なし）が設けられており、この固定用ディスクの上に防水シート３が敷設されている。さらに、固定用ディスク５の接着層と防水シート３の裏面が接合されることで、防水シート３が固定用ディスク５によって断熱材２の上に固定される。そして、第２実施形態において、固定用ディスク５と防水シート３の接合は電磁誘導加熱装置１０による融着により行われている。このような電磁誘導加熱による融着を行うことで簡単に防水シート３と固定用ディスク５との接合を行うことができる。なお、本実施形態において固定用ディスク５の接着層はポリ塩化ビニル層が用いられている。
【００４８】
次に第２実施形態における施工方法を説明する。防水下地１の上に断熱材２を敷設し、固定用ディスクを配置する位置に対応させて、補強板４を断熱材２の上に配置する。そして、上面に接着層を設けた固定用ディスク５を補強板４の上に載せ、固定用ビス６を補強板４、防水下地１を貫通して打ち込み、固定用ディスク５を固定する。そして、その上からポリ塩化ビニル製の防水シート３を敷設し、固定用ディスク５と対応する位置に電磁誘導加熱装置１０を載せて加熱することで固定用ディスク５と防水シート３を接合する。
【００４９】
また、防水下地１としてコンクリート下地を用い、固定用ディスク５の下に防水シートを敷設する第３実施形態を図１０に示した。これによると防水下地１の上に断熱材２が設けられ、固定用ディスク５が配置される位置に対応して断熱材２の上に補強板４が配置される。そして、この補強板４の上から防水シート３が敷設され、補強板に対応する位置に固定用ディスク５が配置されている。また、固定用ビス６が固定用ディスク５、補強板４を貫通して防水下地１に固定されている。このように、固定用ディスク５によって防水シート３が固定されているシート防水構造を構成している。本実施形態においては、さらに固定用ディスク５を上から覆うように補強用シート７を接合し、補強用シート７の端部と防水シート３をシーラー８で防水処理している。
【００５０】
また、これらの全ての実施態様において固定用ディスク５が補強板４を介して固定されるのであれば、緩衝用シート、防水性を向上させる増し張りシート等の部材を使用することができる。
【符号の説明】
【００５１】
１      防水下地
２      断熱材
３      防水シート
４      補強板
５      固定用ディスク
６      固定用ビス
７      補強用シート
８      シーラー
１０    電誘導加熱装置
【図１】
2014001533.tif 000003
【図２】
2014001533.tif 000004
【図３】
2014001533.tif 000005
【図４】
2014001533.tif 000006
【図５】
2014001533.tif 000007
【図６】
2014001533.tif 000008
【図７】
2014001533.tif 000009
【図８】
2014001533.tif 000010
【図９】
2014001533.tif 000011
【図１０】
2014001533.tif 000012
【図１１】
2014001533.tif 000013
【図１２】
2014001533.tif 000014